(57)【特許請求の範囲】
【請求項１】
液不透過性のバックシートと、液透過性のトップシートと、前記バックシートと前記トップシートとの間に配される吸収体と、前記吸収体の両側縁部に沿って起立可能な一対の立体ギャザーと、前記バックシートに接着されるカバーシートと、を備える吸収性物品であって、
前記立体ギャザーの幅方向の自由端である側縁部には弾性部材が前記立体ギャザーの長手方向に沿って伸張状態で配置され、
前記立体ギャザーの少なくとも一方の前記長手方向の端縁側には、前記立体ギャザーが吸収性物品の前記トップシート側の表面に接着されていない非接着領域が設けられ、
前記立体ギャザーは、前記非接着領域に連続して形成された延出領域を有し、
前記延出領域は、前記長手方向における前記カバーシートの端部から外方に延出しており、
前記延出領域は、前記カバーシートの表面に貼り付け可能な領域を有することを特徴とする吸収性物品。
【請求項２】
前記一対の立体ギャザーの前記長手方向における前記延出領域の長さがそれぞれ異なることを特徴とする請求項１に記載の吸収性物品。
【請求項３】
前記延出領域は、前記吸収性物品の腹側に設けられており、
前記立体ギャザーのうち起立可能な領域の幅が、背側から腹側にかけて広くなっていることを特徴とする請求項１または請求項２に記載の吸収性物品。
【請求項４】
前記非接着領域に、シート片が貼着されたことを特徴とする請求項１から請求項３のいずれか一項に記載の吸収性物品。
【請求項５】
前記非接着領域は、
前記立体ギャザーの長手方向の端縁と交差するように、前記立体ギャザーの起立端近傍の前記長手方向の端縁から一定距離で設けられた切れ込み線と、
前記立体ギャザーの幅方向の前記自由端である側縁と、で挟まれた領域であることを特徴とする請求項１から請求項４のいずれか一項に記載の吸収性物品。
【発明の詳細な説明】
【技術分野】
【０００１】
本発明は、吸収性物品に関し、より詳細には、立体ギャザーの起立を促すための吸収性物品に関する。
【背景技術】
【０００２】
従来、排出された体液（以下、単に「液体」とも言う）を有効に堰き止めて、外部に漏らさないための一対の立体ギャザーが設けられた使い捨ておむつ（以下、単に「おむつ」とも言う）等の吸収性物品が広く知られている。
【０００３】
液体を有効に堰き止めるためには、着用状態において立体ギャザーの起立が維持されることが望ましいが、着用する際の着用者の姿勢や動きによって立体ギャザーを倒したり、つぶしたりする場合があった。
【０００４】
そこで、展開型のおむつにおいては、おむつを着用するときに立体ギャザーが引張部材によっておむつの幅方向の外側に向けて引っ張られて起立する構成が、特許文献１に開示されている。特許文献１のおむつでは、当該引張部材の一方の端部が立体ギャザーの側壁に接着され、他方の端部がファスニングテープの内側面に接着されている。そして、ファスニングテープをおむつの前身頃の止着領域に止着することで、立体ギャザーが引張部材に引っ張られて起立するものである。
【先行技術文献】
【特許文献】
【０００５】
【特許文献１】特許第５２３８１０６号公報
【発明の概要】
【発明が解決しようとする課題】
【０００６】
しかしながら、特許文献１に記載のおむつでは、立体ギャザーを引っ張る力が、引張部材が接着された部位に対して幅方向にしか作用せず、立体ギャザーを起立させる範囲が当該接着された部位の周辺に限定されていたため、立体ギャザーの起立状態が不充分となって、液体を立体ギャザーによって有効に堰き止めることが出来ないおそれがあった。
【０００７】
本発明の目的は、立体ギャザーを所望の範囲において起立させるための吸収性物品を提供することにある。
【課題を解決するための手段】
【０００８】
本発明による吸収性物品は、液不透過性のバックシートと、液透過性のトップシートと、バックシートとトップシートとの間に配される吸収体と、吸収体の両側縁部に沿って起立可能な一対の立体ギャザーと、を備える吸収性物品であって、立体ギャザーの幅方向の自由端である側縁部には弾性部材が立体ギャザーの長手方向に沿って伸張状態で配置され、立体ギャザーの少なくとも一方の長手方向の端部領域が、吸収性物品の表面に接着されていないことを特徴とするものである。
【発明の効果】
【０００９】
本発明によれば、立体ギャザーを効果的に起立させることが可能となるため、液体の漏れ防止を効果的に行うことが可能となる。
【図面の簡単な説明】
【００１０】
【図１】本発明の実施形態１に係るおむつの一例の外観において、正面側から見た斜視図である。
【図２】図１に示すおむつを背面側から見た斜視図である。
【図３】図１に示すおむつの分解斜視図である。
【図４】本発明の実施形態１に係る、伸張状態のおむつをトップシート側から見た平面図である。
【図５】図４におけるＶ−Ｖ線断面図である。
【図６】図４におけるＶＩ−ＶＩ線断面図である。
【図７】図４におけるＶＩＩ−ＶＩＩ線断面を斜め上方から見た斜視図である。
【図８】立体ギャザーの非接着領域を引っ張る際の立体ギャザーの状態変化について説明するための図であり、（ａ）は、引っ張る前の立体ギャザーの状態を示し、（ｂ）は、引っ張った後の立体ギャザーの状態を示す。
【図９】本発明の実施形態２−１に係る、伸張状態のおむつをトップシート側から見た平面図であり、（ａ）は、非接着領域の裏側の面の一部に貼着領域が設けられた状態を示し、（ｂ）は、非接着領域の裏側の全面に貼着領域が設けられた状態を示す。
【図１０】本発明の実施形態２−２に係る、伸張状態のおむつをトップシート側から見た平面図であり、（ａ）は、立体ギャザー４５の背側に延出領域２５Ｄを設けた状態を示し、（ｂ）は、立体ギャザー５５の腹側および背側の両側に延出領域２５Ｄを設けた状態を示し、（ｃ）は、立体ギャザー２５の腹側および立体ギャザー６５の背側に延出領域２５Ｄをそれぞれ設けた状態を示す。
【図１１】本発明の実施形態２−３に係る、伸張状態のおむつをトップシート側から見た平面図であり、（ａ）は、着用者から見て右側の立体ギャザー２５の腹側に延出領域２５Ｄを設け、左側の立体ギャザー７５の腹側に延出領域２５Ｄよりも長い延出領域３５Ｄを設けた状態を示し、（ｂ）は、着用者から見て左側の立体ギャザー２５の腹側に延出領域２５Ｄを設け、右側の立体ギャザー７５の腹側に延出領域２５Ｄよりも長い延出領域３５Ｄを設けた状態を示す。
【図１２】本発明の実施形態２−４に係る、伸張状態のおむつをトップシート側から見た平面図である。
【発明を実施するための形態】
【００１１】
以下、図面を参照しながら本発明を実施するための形態を詳細に説明する。
【００１２】
本発明の実施形態に係る吸収性物品では、立体ギャザーの少なくとも一方の長手方向の端部領域に吸収性物品本体と接着されない領域を設け、その領域を様々な方向に引っ張ることによって、立体ギャザーを効果的に起立させ、液体の漏れ防止を効果的に行うことが可能となるものである。
【００１３】
先ず、本発明を展開型使い捨ておむつに応用した実施形態１を以下に説明する。
＜実施形態１＞  
図１に本発明の実施形態１に係るおむつの一例の外観において、正面側から見た斜視図を示す。本実施形態におけるおむつ１０は、展開型使い捨ておむつであり、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。同様に、前身頃領域１０Ｆおよび後身頃領域１０Ｒの下端部と股下領域１０Ｃとで着用者の両脚の太股部分を取り囲む左右一対の脚周り開口部１０Ｌが形成されている。
【００１４】
図２は、図１に示す展開型使い捨ておむつを背面側から見た斜視図である。着用時に前身頃領域１０Ｆは、着用者の腹側に位置し、後身頃領域１０Ｒは着用者の背側に位置する。そして、股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太ももあたりのいずれかに位置することとなる。
【００１５】
仮想線Ｐは、おむつ中央部において腹側から背側に向かって、股下部分を通って延びるものである。具体的には、仮想線Ｐは、例えば、おむつのウエスト側を上、股下側を下として定義すると、おむつ表面に沿って、かつ上下方向に延びると共に、股下部分を経由して、背側においても上下方向に延びるものである。
【００１６】
おむつ１０の外側に位置するカバーシート１１の後身頃領域１０Ｒの左右両端縁部には、着用時に前身頃領域１０Ｆの左右両端縁部に重ね合わせてこれらをつなぎ、脚周り開口部１０Ｌを形成し得る左右一対のファスニングテープ１０Ａが接着されている。このファスニングテープ１０Ａは、前身頃領域１０Ｆのカバーシート１１上に接着されたフロントパッチシート１０Ｂに対して繰り返し剥離可能に接合される。また、後身頃領域１０Ｒの上端部に対応する領域には、カバーシート１１の幅方向に沿って延在し、着用者に対してウエスト周りに適度な着用感を与えるための弾性シート１０Ｄが設けられている。尚、本実施形態に係るおむつには設けられない部分であるが、図１および図２において、おむつ１０のウエスト周り開口部１０Ｗから外側に延出する領域の部分（符号２５Ｃが付され、破線で表された部分）を手で掴んで引っ張り、立体ギャザーの起立具合を調整することも可能である。詳細については、後述する実施形態２−２において説明する。
【００１７】
図３は、図１に示す展開型使い捨ておむつの分解斜視図である。図３に示すように、本実施形態におけるおむつ１０は、外側から順に、良好な手触りを得るために薄い不織布にて形成されるカバーシート１１と、液不透過性を有するバックシート（裏面シート）１２と、吸収体１３と、液透過性を有するトップシート（表面シート）１４と、立体ギャザー１５とを重ねた積層構造を有しているものである。図３の吸収体１３については、説明の便宜上、部分的に破断した状態を示している。カバーシート１１の股下領域１０Ｃの左右両側には、それぞれ脚周り開口部１０Ｌとなる一対の切欠き部１１Ｎが形成されている。バックシート１２は、カバーシート１１に接着され、先の吸収体１３は、このバックシート１２とトップシート１４との間に配され、この吸収体１３を介してトップシート１４がバックシート１２に接着される。また、バックシート１２のうち、後身頃領域１０Ｒの上端部に対応する領域には、弾性シート１０Ｄが接合されている。カバーシート１１と立体ギャザー１５との間には、脚周りギャザーを形成するための糸ゴム１６がそれぞれ伸張状態で接着されている。
【００１８】
トップシート１４の下に位置する本実施形態の吸収体１３は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなる吸収性本体１７を、ティシュや不織布等で構成されるコアラップなどの被覆部材１８によって包んだものである。吸収性本体１７を被覆部材１８により包むことで形成される継ぎ目は、例えば、図３に示すように、吸収体１３の上面であって長手方向に延在するように形成される。本実施形態の吸収体１３は、前身頃、股下、後身頃に亘るように、細長い形状をしている。ここで、前身頃部分から後身頃部分を前後（上下）方向とし、それに直交する方向を左右方向とすると、本実施形態の吸収体１３は、前後（上下）左右の長さが異なる矩形のものである（図３では、前後（上下）の長さが左右の長さより長くなっている）。なお、本実施形態の吸収体１３の形状はこれに限らず、例えば、前後（上下）左右の長さが同程度の略正方形のもの、前後（上下）端の角が丸く落とされているもの、前後（上下）に延びる楕円形のもの、円形のものなど、さまざまな形状を含む。また、吸収体１３の股下部分には、両脚の太股部分を取り囲む左右一対の脚周り開口部１０Ｌに合わせて、円弧状をなす一対の切欠き部が形成されても良い。
【００１９】
一対の立体ギャザー１５は、液不透過性であり、吸収体１３の両側縁部に沿って起立可能である。本実施形態では、立体ギャザー１５の両側縁部のうち、一方の側縁部は略直線形状を呈し、他方の側縁部には、股下付近に切欠き部１５Ｎが形成されている。立体ギャザー１５は、その一方の略直線形状の側縁部に自由端を含むように形成される。立体ギャザー１５の幅方向の自由端である側縁部には、引っ張り力を作用する弾性部材である糸ゴム１９が立体ギャザー１５の長手方向に沿って伸張状態で配置されている。また、立体ギャザー１５には、立体ギャザー１５の長手方向端縁と交差するように、その長手方向端縁から一定距離で切れ込み線ＣＬが設けられる。本実施形態では、切れ込み線ＣＬは、立体ギャザー１５の長手方向端縁と直交するように直線によって形成される。
【００２０】
本実施形態では、一対の立体ギャザー１５は、カバーシート１１の両側縁部から、カバーシート１１に接着されるバックシート１２の両側縁部に至るまで接着される。この構成により、一対の立体ギャザー１５は、バックシート１２の両側縁部から起立可能となっている。尚、本実施形態では、立体ギャザー１５がバックシート１２の両側縁部から起立可能なように接着されているが、これに限られず、例えば、トップシート１４の両側縁部から起立可能なように接着されても良い。
【００２１】
図４は、本発明の実施形態１に係る、伸張状態のおむつ１０をトップシート１４側から見た平面図である。図４において、太い破線で表される部分は、吸収体１３を示す。また、図４において、斜線で表す部分は、立体ギャザー１５に対して、少なくともバックシート１２および／またはトップシート１４の表面（以下、おむつ１０の表面とも言う）が接着している領域を示す。
【００２２】
本実施形態では、立体ギャザー１５とバックシート１２とが接着している領域と接着していない領域との境界線をＢＬとし、図４において破線で表す。また、本実施形態では、上述した切れ込み線ＣＬは、境界線ＢＬの延長線上に形成され、図４において実線で示される。
【００２３】
図４に示すように、立体ギャザー１５は、立体ギャザー１５とおむつ１０の表面とが接着されている領域を含む接着領域１５Ａと、起立可能な領域である起立領域１５Ｂと、立体ギャザー１５とおむつ１０の表面とが接着されていない非接着領域１５Ｃとの３つの領域を含んで構成される。よって、本実施形態に係るおむつ１０は、立体ギャザー１５の少なくとも一方の長手方向の端部領域が、おむつ１０の表面に接着されていないものとなっている。
【００２４】
本実施形態では、接着領域１５Ａおよび起立領域１５Ｂは、立体ギャザー１５の両側縁のうち糸ゴム１９に近い方の略直線形状の側縁と、境界線ＢＬとで挟まれた領域である。また、非接着領域１５Ｃは、この略直線形状の側縁と、切れ込み線ＣＬとで挟まれた領域である。図４に示すように、接着領域１５Ａと、起立領域１５Ｂと、非接着領域１５Ｃとは連続した構成になっている。
【００２５】
図５〜図７は図４における模式的な断面図または斜視図であり、図５にＶ−Ｖ線断面図、図６にＶＩ−ＶＩ線断面図、図７にＶＩＩ−ＶＩＩ線断面を斜め上方から見た斜視図をそれぞれ示す。尚、説明の簡略化のため、図５〜図７ではカバーシート１１の記載を省略し、図６では被覆部材１８の継ぎ目の記載を省略している。
【００２６】
本実施形態では、接着領域１５Ａは、図５に示すように、立体ギャザー１５とトップシート１４とが接着される領域を含んでいることが理解できる。本実施形態では、起立領域１５Ｂは、図６に示すように、起立可能な領域であることがわかる。また、立体ギャザー１５の自由端である側縁部には起立を促すための糸ゴム１９が配置されていることが見てとれる。本実施形態では、非接着領域１５Ｃは、図７に示すように、おむつ１０の表面に接着されていないことがわかる。
【００２７】
図８に立体ギャザーの非接着領域を引っ張る際の立体ギャザーの状態変化について説明するための図を示す。具体的には、図８は、着用時において、図４に示す構造体の図４中右下に位置する立体ギャザー１５の非接着領域１５Ｃを手で掴んでＡ方向（例えば、着用者の頭の方）へ引っ張る際の動作説明図であり、図８（ａ）は、引っ張る前の立体ギャザー１５の状態を示し、図８（ｂ）は、引っ張った後の立体ギャザー１５の状態を示す。本実施形態では、おむつ１０を着用した状態で非接着領域１５Ｃを引っ張る動作を行うことで、立体ギャザーを起立させることを可能とする。
【００２８】
すなわち、図８（ａ）に示すように、立体ギャザー１５の非接着領域１５Ｃは、手８０で掴むことが可能な掴持領域を提供するので、着用者は当該掴持領域を手８０で掴んで、例えば、Ａ方向へ引っ張ることが可能である。すると、図８（ｂ）に示すように、起立領域１５Ｂの糸ゴム１９が伸張して、立体ギャザー１５の略長手方向であるＢ方向に立体ギャザー１５が伸びる。また、Ａ方向から着用者の腹側に向けて掴持領域を引っ張ると、立体ギャザー１５の側縁部は、バックシート１２に接着された立体ギャザー１５の付け根を回転軸として、着用者の肌側に近付く方向Ｃに回動するので、立体ギャザー１５の起立が促される。
【００２９】
なお、図８（ａ）および図８（ｂ）は、非接着領域１５Ｃの掴持領域を手８０で掴んで引っ張る動作の一例であるが、これに限られず、引っ張る方向は様々である。立体ギャザー１５の起立が効果的に行われるのであれば、例えば、着用者の肌から離れる方向であって、着用者の前方向や斜めの方向に引っ張っても良いし、また、着用者の肌から離れる方向であって、着用者から見て左右方向に引っ張っても良く、さらにこれらの動作を適宜組み合わせても良い。
【００３０】
いずれにしても、非接着領域１５Ｃを様々な方向に引っ張ることによって、引っ張る力が起立領域１５Ｂや糸ゴム１９に様々な方向から伝わり、立体ギャザー１５の糸ゴム１９を伸張していない自然な中立状態に近付けることで、立体ギャザー１５が起立した状態に誘導することが可能になる。また、引っ張る力が起立領域１５Ｂや糸ゴム１９に様々な方向から伝わるため、立体ギャザーを効果的に起立させることが可能となり、その結果、液体の漏れ防止を効果的に行うことが可能となる。さらに、非接着領域１５Ｃを様々な方向に引っ張ることによって、フィット性を向上させることが可能となる。尚、本実施形態では、手で掴むことが可能な非接着領域１５Ｃの端部と、おむつ１０のウエスト周り開口部１０Ｗの縁とが揃うようになっているが、これに限られず、手で掴むことが可能な非接着領域の端部がおむつ１０のウエスト周り開口部１０Ｗの縁より内側となっても良い。
【００３１】
＜実施形態２＞
本発明の実施形態１では、手で掴むことが可能な非接着領域全体をおむつ１０の内側の範囲内に配置した。これに対し、本発明の実施形態２では、実施形態１とは異ならせ、非接着領域を、立体ギャザーの長手方向において、おむつ１０のカバーシート１１の端部から外方に延出してはみ出させ、そのはみ出した領域（以下、延出領域とも言う）に設けられた掴持領域を手で掴んで引っ張ることによって立体ギャザーの起立具合を調整する。これにより、実施形態１よりも簡易に立体ギャザーを起立させることが可能となる。立体ギャザーの形状にこのような改良を施した各実施形態を、次の実施形態２−１から２−４においてそれぞれ説明する。
【００３２】
図９から図１２に示す実施形態２−１から２−４に係る構造体を構成する各要素のうち、同様の機能を有するものについては、実施形態１と同一の符号を付してその説明を省略する。また、実施形態１と同様に、図中、太い破線で表される部分は、吸収体１３を示し、斜線で表す部分は立体ギャザーに対して、少なくともおむつ１０の表面が接着されている領域を示す。
【００３３】
＜実施形態２−１＞
本発明の実施形態２−１では、延出領域にカバーシート１１に貼り付け可能な貼着領域を設ける。
【００３４】
図９は、本発明の実施形態２−１に係る、伸張状態のおむつ１０をトップシート１４側から見た平面図であり、図９（ａ）は、延出領域２５Ｄの裏側の面の一部に貼着領域１１０が設けられた状態を示し、図９（ｂ）は、非接着領域１５Ｃおよび延出領域２５Ｄの裏側の全面に貼着領域２１０が設けられた状態を示す。
【００３５】
図９（ａ）、図９（ｂ）に示すように、立体ギャザー２５には、非接着領域１５Ｃに連続して形成される延出領域２５Ｄが設けられる。着用者は、この延出領域２５Ｄに設けられた掴持領域を掴んで立体ギャザーの起立具合を調整することが可能となる。
【００３６】
本実施形態では、立体ギャザー２５の延出領域２５Ｄには、おむつ１０の外側の表面に貼り付け可能な貼着領域が設けられる。図９（ａ）では、トップシート１４側から見て延出領域２５Ｄの裏側の面の一部、具体的には、立体ギャザー２５の長手方向における延出領域２５Ｄの端部から一定の範囲に亘って貼着領域１１０が設けられ、図９（ｂ）では、トップシート１４側から見て非接着領域１５Ｃおよび延出領域２５Ｄの裏側の全面に貼着領域２１０が設けられている。
【００３７】
貼着領域１１０、２１０は、例えば、ファスニングテープや粘着テープなどで構成される。ファスニングテープの場合、おむつ１０の外側の表面には、対応するフロントパッチシートが形成される。粘着テープの場合、裏側の剥離紙を剥がしておむつ１０の外側の表面の所望の位置に貼り付けることが可能となる。着用者は、延出領域２５Ｄに設けられた掴持領域を掴んで立体ギャザー２５の起立具合を調整した後、立体ギャザー２５の貼着領域をおむつ１０の外側の表面に貼着させることによって、立体ギャザー２５の起立を所望の状態のまま維持することが可能となる。また、余分な延出部分をおむつと一体化させるように貼着可能であるため、余分な延出部分が着用者にとって邪魔にならないようにすることが可能となる。尚、立体ギャザー２５の延出領域２５Ｄを切り取ることができるように、非接着領域１５Ｃと延出領域２５Ｄとの境目付近の位置に、ミシン目のような切れ込み線を入れても良い。
【００３８】
＜実施形態２−２＞
本発明の実施形態２−２では、一対の立体ギャザー２５のうち延出領域２５Ｄを設ける場所をそれぞれ異ならせ、例えば、着用者の腹側、背側、または両方に延出領域２５Ｄを設けた３つの形態について説明する。
【００３９】
図１０は、本発明の実施形態２−２に係る、伸張状態のおむつ１０をトップシート１４側から見た平面図であり、図１０（ａ）は、立体ギャザー４５の背側に延出領域２５Ｄを設けた状態を示し、図１０（ｂ）は、立体ギャザー５５の腹側および背側の両側に延出領域２５Ｄを設けた状態を示し、図１０（ｃ）は、立体ギャザー２５の腹側および立体ギャザー６５の背側に延出領域２５Ｄをそれぞれ設けた状態を示す。
【００４０】
本実施形態によれば、着用者は、様々な方向から立体ギャザーの起立具合を調整することが可能となり、効果的に立体ギャザーを起立させることが可能となる。
【００４１】
＜実施形態２−３＞
本発明の実施形態２−３では、着用者が片手でも立体ギャザーの起立具合を調整できるように、立体ギャザーの長手方向において、腹側に設けられる延出領域の長さをそれぞれ異ならせる。
【００４２】
図１１は、本発明の実施形態２−３に係る、伸張状態のおむつ１０をトップシート１４側から見た平面図であり、図１１（ａ）は、着用者から見て右側の立体ギャザー２５の腹側に延出領域２５Ｄを設け、左側の立体ギャザー７５の腹側に延出領域２５Ｄよりも長い延出領域３５Ｄを設けた状態を示し、図１１（ｂ）は、着用者から見て左側の立体ギャザー２５の腹側に延出領域２５Ｄを設け、右側の立体ギャザー７５の腹側に延出領域２５Ｄよりも長い延出領域３５Ｄを設けた状態を示す。
【００４３】
本実施形態によれば、片方の手や腕が不自由な着用者にとっても、実施形態２−１と同様の効果を得ることが可能となる。例えば、図１１（ａ）に示すおむつについては、着用者から見て左側に在る延出領域３５Ｄが、右側に在る延出領域２５Ｄより長いため、右手で延出領域３５Ｄを掴みやすく、左手が不自由の着用者にとって使用しやすい構成となっている。また、図１１（ｂ）に示すおむつについても同様に、左手で延出領域３５Ｄを掴みやすく、右手が不自由の着用者にとって使用しやすい構成となっている。
【００４４】
＜実施形態２−４＞
本発明の実施形態２−４では、立体ギャザーを起立させ易いように、立体ギャザーのうち起立可能な領域、つまり、起立領域の幅が、背側から腹側にかけて広くなっている。
【００４５】
図１２は、本発明の実施形態２−４に係る、伸張状態のおむつ１０をトップシート１４側から見た平面図である。図１２に示すように、立体ギャザー８５は、立体ギャザー８５とおむつ１０の表面とが接着されている領域を含む接着領域８５Ａと、起立可能な領域である起立領域８５Ｂと、立体ギャザー８５とおむつ１０の表面とが接着されていない非接着領域８５Ｃと、立体ギャザーの長手方向におけるカバーシート１１の端部から外方に延出する延出領域８５Ｄとの４つの領域を含んで構成される。よって、本実施形態に係るおむつ１０は、実施形態１と同様に、立体ギャザー８５の少なくとも一方の長手方向の端部領域が、おむつ１０の表面に接着されていないものとなっている。
【００４６】
本実施形態では、接着領域８５Ａおよび起立領域８５Ｂは、立体ギャザー８５の両側縁のうち糸ゴム１９に近い方の略直線形状の側縁と、境界線ＢＬとで挟まれた領域である。また、非接着領域８５Ｃは、この略直線形状の側縁と、切れ込み線ＣＬとで挟まれた領域である。図１２に示すように、接着領域８５Ａと、起立領域８５Ｂと、非接着領域８５Ｃ、延出領域８５Ｄとは連続した構成になっている。
【００４７】
また、本実施形態では、実施形態２−１と同様に、延出領域８５Ｄには、おむつ１０の外側の表面に貼り付け可能な貼着領域が設けられる。図１２に示すように、トップシート１４側から見て延出領域８５Ｄの裏側の面の一部、具体的には、立体ギャザーの長手方向における延出領域８５Ｃの端部から一定の範囲に亘って貼着領域３１０が設けられる。
【００４８】
さらに、本実施形態では、背側から腹側にかけて立体ギャザーの幅を広げている。具体的には、図１２に示すように、非接着領域８５Ｃの長手方向端部の幅Ｗ２は、接着領域８５Ａの長手方向端部の幅Ｗ１よりも広くなるように立体ギャザー８５が接着されている。こうすることで、非接着領域８５Ｃと起立領域８５Ｂとが繋がっている部分の幅が広くなるため、非接着領域８５Ｃに連続した延出領域８５Ｄを掴んで動かせる範囲が広くなり、実施形態２−１よりも延出領域８５Ｄにおいて引っ張る力が起立領域８５Ｂに様々な方向から伝わり、より立体ギャザー８５を起立させやすい構成となっている。
【００４９】
＜その他＞  
本発明は、上述した実施形態１および実施形態２の各実施形態や、随所に述べた変形例に限られることなく、本発明の技術的思想から逸脱しない範囲で、適宜の変更や変形が可能である。
【００５０】
例えば、上記各実施形態に係るおむつの構造は、上述したような展開型に限定されるわけではなく、特許請求の範囲に規定された吸収性物品の構成を含むおむつでありさえすれば、どのような構成であってもよい。例えば、パンツ型の使い捨ておむつや、尿漏れパッドなどであっても本発明を適用可能である。
【００５１】
加えて、上記各実施形態では、非接着領域または延出領域を手で掴んで立体ギャザーを起立させるようにしているが、立体ギャザーの起立領域または非接着領域に、手で掴むためのタブとなるシート片を別途貼着して、それを掴んで立体ギャザーを起立させるようにしても良い。すなわち、立体ギャザーの少なくとも一方の長手方向の端部領域に、シート片が貼着されても良い。
【００５２】
尚、図４、図９（ａ）、図９（ｂ）、図１０（ａ）、図１０（ｂ）、および図１２に示す上記各実施形態に係るおむつの展開図は、仮想線Ｐを軸として対称となっているが、これに限られず、非対称であっても良い。
【００５３】
また、実施形態２の各実施形態に係るおむつの立体ギャザーには、貼着領域が設けられているが、貼着領域を設けない態様であってもよい。さらに、実施形態２−４に係るおむつの立体ギャザー８５には、延出領域８５Ｄが設けられているが、立体ギャザー８５を起立させやすいという効果が実現しうるものなら、延出領域８５Ｄを設けない態様であってもよい。また、実施形態２−２のような延出領域を設ける場所をそれぞれ異ならせる態様や、実施形態２−３のような延出領域の長さをそれぞれ異ならせる態様を、実施形態２−４に係るおむつの立体ギャザーに適用してもよい。
【００５４】
上記各実施形態に係る立体ギャザーの形状は、切欠き部を有する形状であるが、これに限られず、例えば、矩形であっても良い。また上記各実施形態では、切れ込み線ＣＬは、直線によって形成されているが、これに限られず、立体ギャザーの長手方向端縁と交差するのであれば、直線、曲線またはこれらの組合せで構成されたものであっても良い。しかしながら、上記各実施形態は、立体ギャザーの起立具合を調整可能という本発明の効果を実現しうるものであれば、切れ込み線を不要とすることを許容するものである。
【符号の説明】
【００５５】
１０  おむつ
１０Ａ  ファスニングテープ
１０Ｂ  フロントパッチシート
１０Ｆ  前身頃領域
１０Ｒ  後身頃領域
１０Ｃ  股下領域
１０Ｗ  ウエスト周り開口部
１０Ｌ  脚周り開口部
１１  カバーシート
１１Ｎ、１５Ｎ  切欠き部
１２  バックシート
１３  吸収体
１４  トップシート
１５、２５、３５、４５、５５、６５、７５、８５  立体ギャザー
１５Ａ、８５Ａ  接着領域
１５Ｂ、８５Ｂ  起立領域
１５Ｃ、８５Ｃ  非接着領域
１６、１９  糸ゴム
１７  吸収性本体
１８  被覆部材
２５Ｄ、３５Ｄ、８５Ｄ  延出領域
１１０、２１０、３１０  貼着領域
【図１】
0006459866.tif 000002
【図２】
0006459866.tif 000003
【図３】
0006459866.tif 000004
【図４】
0006459866.tif 000005
【図５】
0006459866.tif 000006
【図６】
0006459866.tif 000007
【図７】
0006459866.tif 000008
【図８】
0006459866.tif 000009
【図９】
0006459866.tif 000010
【図１０】
0006459866.tif 000011
【図１１】
0006459866.tif 000012
【図１２】
0006459866.tif 000013